(57)【要約】【課題】本発明は、検品作業を不用とすることができ、また仕分けする商品を確認する必要を無くし、作業の効率を改善できる仕分け設備を提供することを目的とする。【解決手段】検品モードのとき、手に取った商品２のバーコードがバーコードリーダ９により読み取られると、この商品２を仕分けする１つの間口表示器２１に、商品２の仕分け指示として完了釦スイッチ２５のランプが点灯され、作業者はこの間口４に物品を仕分けする構成とする。この構成によれば、間口４の集品容器３に仕分けする商品２の個数に間違いがなくなり、検品の必要をなくすことができ、また同一の商品２を続けて仕分けする必要がなくなり、手近な商品２をランダムにカート３１より手に取ってバーコードリーダ９にバーコードを読み取らせて仕分けができ、効率を改善できる。【選択図】      図１
2004307112.tif 000002
【特許請求の範囲】
【請求項１】
物品を仕分けする複数の間口と、
前記各間口にそれぞれ設けた、前記物品の仕分け作業を指示する指示手段と、
前記物品の仕分け先または前記間口を特定する情報とこの仕分け先または間口が要求する物品およびその数量からなる、仕分け要求情報に応じて、前記各間口へ投入する物品とその数量からなる仕分け情報を形成する管理手段
を備えた仕分け設備であって、
前記物品に設けられたこの物品を特定する情報を読み取る読取手段を設け、
前記管理手段は、前記読取手段により前記物品を特定する情報が読み取られる毎に、この物品を特定する情報と前記仕分け情報に基づいて、前記物品を仕分けする間口を求め、求めた間口のうち１つの間口に設けられた指示手段に、前記物品を仕分けする指示を出力する機能を有すること
を特徴とする仕分け設備。
【請求項２】
前記管理手段は、前記求めた間口のうち１つの間口に設けられた指示手段に、前記物品を仕分けする指示を出力する前記第１の機能の他に、前記読取手段により前記物品を特定する情報が読み取られる毎に、この物品を特定する情報と前記仕分け情報に基づいて、前記物品を仕分けする間口を求め、前記求めた間口毎にそれぞれ、仕分けする物品の仕分け量を求め、前記求めた間口の指示手段にそれぞれまたは順番に、求めた物品の仕分け量を出力する第２の機能を有すること
を特徴とする請求項１に記載の仕分け設備。
【請求項３】
前記管理手段は、前記第１の機能と前記第２の機能を切り換え自在としたこと
を特徴とする請求項２に記載の仕分け設備。
【請求項４】
前記管理手段は、前記第１の機能または前記第２の機能の実行毎に、前記仕分け情報の更新を行い、前記読取手段により前記物品を特定する情報が読み取られた物品の仕分けに際して、途中で前記第１の機能と前記第２の機能の切り換えを可能としたこと
を特徴とする請求項２または請求項３に記載の仕分け設備。
【請求項５】
表示画面を有する表示手段を備え、
前記指示手段毎に、仕分け完了時に操作する操作手段を設け、
前記管理手段は、前記読取手段により前記物品を特定する情報が読み取られると、前記表示手段の表示画面の少なくとも一部の色または図柄を変化させ、前記物品の仕分け情報を出力した指示手段の前記操作手段が操作されると、前記表示手段の表示画面の色または図柄を戻すこと
を特徴とする請求項１〜請求項４のいずれかに記載の仕分け設備。
【請求項６】
前記各間口へ仕分けする物品の残り総量を表示する総量表示手段を設け、
前記管理手段は、前記仕分け情報に基づいて各間口へ仕分けする物品の残り総量を求め、前記操作手段が操作される毎に前記残り総量を更新して前記総量表示手段へ表示すること
を特徴とする請求項１〜請求項５のいずれかに記載の仕分け設備。
【請求項７】
欠品が発生したことを前記管理手段へ入力する欠品入力手段を設け、
前記管理手段は、前記欠品入力手段の入力を確認すると、前記仕分け情報に基づいて仕分けが終了していない物品を欠品と認識すること
を特徴とする請求項１〜請求項６のいずれかに記載の仕分け設備。
【請求項８】
前記仕分け要求情報に応じて、予め前記物品毎に集品された物品群を特定する群情報を入力する群入力手段を設け、
前記管理手段には、予め前記群情報毎に前記仕分け要求情報が記憶され、管理手段は、前記群入力手段により群情報が入力されると、この入力された群情報により仕分け要求情報を求め、前記集品された物品群を各間口毎に仕分けすることを特徴とする請求項１〜請求項７のいずれかに記載の仕分け設備。
【発明の詳細な説明】
【０００１】
【発明の属する技術分野】
本発明は、商品流通業界等で使用される物品の仕分け設備に関するものである。
【０００２】
【従来の技術】
スーパーマーケットやコンビニエンス向け商品の配送センター等では、従来より、各店舗からの注文に応じて各種の注文商品を注文個数ずつ取り揃える仕分け作業に、仕分け設備が使用されている。
【０００３】
仕分け設備は、各店舗毎の集品用コンテナを配置した棚を設け、各店舗からの注文に応じて集品用コンテナへ投入する商品の個数を作業者に指示することにより、各店舗毎に前注文商品を取り揃えるようにしている。
【０００４】
このような機能を実現するため、さらに仕分け作業の効率を追求するために、仕分け設備では、前記棚の各集品用コンテナの収納部毎にそれぞれ、仕分け指示ランプと消灯スイッチを設けるとともに、棚に単一の仕分け個数表示器を備え、各店舗からの注文に応じて、今回仕分けする商品のの仕分け指示ランプを点灯させるとともに、その商品の仕分け個数を仕分け個数表示器に表示させ、かつ次に仕分けする収納部の指示ランプを今回仕分けする商品の指示ランプとは異なるパターンで表示させ、今回の仕分け作業から次回の仕分け作業への移行をスムーズにして無駄の無い作業動線で作業を行えるようにしている（例えば、特許文献１参照）。
【０００５】
【特許文献１】
特開平６−３２９２１７号公報
【０００６】
【発明が解決しようとする課題】
しかし、上記した仕分け設備では、仕分け作業の効率は改善されるが、各集品用コンテナへ投入する商品の個数の確認が、作業者に依存しているため、集品用コンテナに取り揃えた商品の数が一致しないことがあり、そのため店舗から苦情が発生することから、仕分け終了後、検品作業を実施しなければならなかった。
【０００７】
また複数の商品を搬送してきて仕分け作業を行うとき、仕分けに該当する商品かどうかを確認して仕分けする必要があり、仕分け作業の効率を悪くしていた。
そこで、本発明は、検品作業を不用とすることができ、また仕分けする商品を確認する必要を無くし、作業の効率を改善できる仕分け設備を提供することを目的としたものである。
【０００８】
【課題を解決するための手段】
前述した目的を達成するために、本発明のうち請求項１記載の発明は、物品を仕分けする複数の間口と、前記各間口にそれぞれ設けた、前記物品の仕分け作業を指示する指示手段と、前記物品の仕分け先または前記間口を特定する情報とこの仕分け先または間口が要求する物品およびその数量からなる、仕分け要求情報に応じて、前記各間口へ投入する物品とその数量からなる仕分け情報を形成する管理手段を備えた仕分け設備であって、
前記物品に設けられたこの物品を特定する情報を読み取る読取手段を設け、前記管理手段は、前記読取手段により前記物品を特定する情報が読み取られる毎に、この物品を特定する情報と前記仕分け情報に基づいて、前記物品を仕分けする間口を求め、求めた間口のうち１つの間口に設けられた指示手段に、前記物品を仕分けする指示を出力する機能を有することを特徴とするものである。
【０００９】
この構成によれば、仕分けする物品の物品を特定する情報が読取手段により読み取られると、この物品を仕分けする１つの間口の指示手段に、前記物品の仕分けする指示が出される。作業者はこの間口に物品を仕分けする。このように、１個の物品毎にその物品を特定する情報を読み取らせて仕分けすることにより、間口に仕分けする物品の個数に間違いがなくなり、検品の必要がなくなり、また仕分けする物品を確認する必要を無くなる。また同一の物品を続けて仕分けする必要がなくなり、手近な物品をランダムに手に取って読取手段に読み取らせて仕分けができ、効率を改善できる。
【００１０】
また請求項２に記載の発明は、上記請求項１に記載の発明であって、前記管理手段は、前記求めた間口のうち１つの間口に設けられた指示手段に、前記物品を仕分けする指示を出力する前記第１の機能の他に、前記読取手段により前記物品を特定する情報が読み取られる毎に、この物品を特定する情報と前記仕分け情報に基づいて、前記物品を仕分けする間口を求め、前記求めた間口毎にそれぞれ、仕分けする物品の仕分け量を求め、前記求めた間口の指示手段にそれぞれまたは順番に、求めた物品の仕分け量を出力する第２の機能を有することを特徴とするものである。
【００１１】
この構成によれば、第１の機能によるとき、１個の物品毎に読取手段により物品を特定する情報を読み取らせ、指示手段に指示された間口に仕分けし、また第２の機能によるとき、読取手段により物品を特定する情報を読み取らせ、各間口の指示手段にそれぞれまたは順番に表示される仕分け量の物品を、表示された間口に仕分けする。
【００１２】
また請求項３に記載の発明は、上記請求項２に記載の発明であって、前記管理手段は、前記第１の機能と前記第２の機能を切り換え自在としたことを特徴とするものである。
【００１３】
この構成によれば、第１の機能と第２の機能は切り換え自在とされ、よって作業者は作業状況によりこれら機能の一つを選択できる。たとえば、通常は第１の機能により物品の仕分けを行い、同一物品の仕分けが多量に発生すると、第２の機能により物品の仕分けを行う。
【００１４】
また請求項４に記載の発明は、上記請求項２または請求項３に記載の発明であって、前記管理手段は、前記第１の機能または前記第２の機能の実行毎に、前記仕分け情報の更新を行い、前記読取手段により前記物品を特定する情報が読み取られた物品の仕分けに際して、途中で前記第１の機能と前記第２の機能の切り換えを可能としたことを特徴とするものである。
【００１５】
この構成によれば、第１の機能または第２の機能の実行毎に、仕分け情報の更新が行われ、よって途中で第１の機能と第２の機能の切り換えが可能となり、仕分け作業の柔軟性が向上する。
【００１６】
また請求項５に記載の発明は、上記請求項１〜請求項４のいずれかに記載の発明であって、表示画面を有する表示手段を備え、前記指示手段毎に、仕分け完了時に操作する操作手段を設け、前記管理手段は、前記読取手段により前記物品を特定する情報が読み取られると、前記表示手段の表示画面の少なくとも一部の色または図柄を変化させ、前記物品の仕分け情報を出力した指示手段の前記操作手段が操作されると、前記表示手段の表示画面の色または図柄を戻すことを特徴とするものである。
【００１７】
この構成によれば、読取手段により物品を特定する情報が読み取られると、表示手段の表示画面の少なくとも一部の色または図柄が変化され、操作手段が操作されると、表示手段の表示画面の色または図柄が戻される。このように、表示画面の少なくとも一部の色または図柄が変わることにより、次の物品の物品を特定する情報の読取禁止が報知され、物品を特定する情報を読み取るタイミングが調整される。複数の作業者により作業を行うとき有効である。すなわち、現作業者が物品の仕分けを終了する前に、次の作業者が次に仕分けする物品の物品を特定する情報を読み取らせると、この物品を仕分けする間口の指示手段に仕分けする表示が行われ、仕分けする間口がわからなくなることがある。
【００１８】
また請求項６に記載の発明は、上記請求項１〜請求項５のいずれかに記載の発明であって、前記各間口へ仕分けする物品の残り総量を表示する総量表示手段を設け、前記管理手段は、前記仕分け情報に基づいて各間口へ仕分けする物品の残り総量を求め、前記操作手段が操作される毎に前記残り総量を更新して前記総量表示手段へ表示することを特徴とするものである。
【００１９】
この構成によれば、総量表示手段に物品の残り総量が表示され、よって作業者は仕分けする物品の総量を常に認識できる。
また請求項７に記載の発明は、上記請求項１〜請求項６のいずれかに記載の発明であって、欠品が発生したことを前記管理手段へ入力する欠品入力手段を設け、前記管理手段は、前記欠品入力手段の入力を確認すると、前記仕分け情報に基づいて仕分けが終了していない物品を欠品と認識することを特徴とするものである。
【００２０】
この構成によれば、作業者は、物品の仕分けが終了しているにもかかわらず、総量表示手段の残り総量が「０」とならないときなど欠品が発生すると、欠品入力手段を操作する。すると管理手段は、仕分け情報に基づいて仕分けが終了していない物品を欠品と認識し、欠品情報を形成する。この欠品情報により後工程で欠品した物品が補充される。このように、作業者はどの間口にどの物品がどれだけの数量欠品しているかを見出して入力する必要がなくなり、作業が簡易化され、初心者でも簡単に仕分け作業に従事できる。
【００２１】
また請求項８に記載の発明は、上記請求項１〜請求項７のいずれかに記載の発明であって、前記仕分け要求情報に応じて、予め前記物品毎に集品された物品群を特定する群情報を入力する群入力手段を設け、
前記管理手段には、予め前記群情報毎に前記仕分け要求情報が記憶され、管理手段は、前記群入力手段により群情報が入力されると、この入力された群情報により仕分け要求情報を求め、前記集品された物品群を各間口毎に仕分けすることを特徴とするものである。
【００２２】
上記構成によれば、仕分け要求情報に応じて、予め前記物品毎に集品された物品群毎に設けられた群情報により仕分け要求情報が求められ、集品された物品群が各間口毎に仕分けが開始される。
【００２３】
【発明の実施の形態】
以下、本発明の実施の形態を図面に基づいて説明する。
図１は、本発明の実施の形態における仕分け設備の斜視図である。
【００２４】
図１において、１は、商品（物品の一例）２を仕分けする集品容器３を収納する複数（図では１２）の間口４を有する仕分け棚であり、仕分け棚１内にコンピュータからなるコントローラ（管理手段の一例）６が設けられ、さらに仕分け棚１内にはコントローラ６の近くに、ＣＲＴ（表示手段の一例）７とキーボート（欠品入力手段、群入力手段の一例）８とマウス（欠品入力手段、群入力手段の一例）９とバーコードリーダ（読取手段、群入力手段の一例）１０と後述する表示器とのインターフェイスを行う表示用コントローラ１２が設置されている。前記集品容器２は、ダンボールにより構成されている。
【００２５】
また仕分け棚１は上下３段の棚板５を有し、各棚板５上に上記間口４が構成され、上側の２段の棚板５の正面側に各間口４に対応してそれぞれ間口表示器（指示手段の一例）２１が設けられ、また仕分け棚１の上部中央付近に１台のトータル数量表示器（総量表示手段の一例）２２が設けられている。各間口表示器１１は、３桁のディジタル表示器２４とランプ付き完了釦スイッチ（操作手段の一例）２５から形成され、前記トータル数量表示器２２は、４桁のディジタル表示器２６と完了ランプ２７から形成されている。また仕分け棚１の各棚板５には、前後方向（奥行方向）に２個の集品容器３が並ぶことができるような幅を持たせており、後側には次回仕分け用の空の集品容器３が補充されている。
【００２６】
また図１において、３１は、バッチ毎にこの仕分け棚１において仕分けする商品２を搬送してくる台車（カート）であり、また３２は仕分け棚１の背面に配置された作業台であり、次回仕分け用の空の集品容器３を揃えたり、仕分けが完了した集品容器３を梱包するなどの作業に使用される。前記カート３１には、上記間口の総数１２を最大とした店舗毎に、店舗が注文した商品２の商品名とその数量から形成される仕分け要求データ（仕分け要求情報）に応じて、予め商品２毎に集品され、集品された商品群が搬送されてくる。またカート３１には、この仕分け要求データを記載した集品リスト（バッチナンバーに相当するバーコードが記載されている）と、各店舗のデータリスト（バッチナンバーと店舗名と仕分ける商品２の商品名および数量からなるリスト）が添付されてくる。
【００２７】
上記構成の仕分け設備の制御構成図を図２に示す。
コントローラ６に、ＣＲＴ７とキーボート８とバーコードリーダ９とマウス１０と表示器用コントローラ１２が接続され、表示器用コントローラ１２に１２台の間口表示器２１と１台のトータル数量表示器２２が接続されている。
【００２８】
また上記ＣＲＴ７に表示される表示画面を、図３〜図５に示す。これら表示画面は、コントローラ６からＣＲＴ７へ出力される画像表示データにより表示される。
【００２９】
図３に示す初期画面は、コントローラ６の電源をオンにしたときに立ち上がる画面であり、マウス１０にて選択される、作業開始画面設定に遷移する「仕分け開始」、問合せメンテサブメニューに遷移する「問合せメンテ」、システム管理画面に遷移する「システム管理」、「ヘルプ」、および「終了」のボタンが表示される。
【００３０】
初期画面において、「仕分け開始」のボタンがマウス１０により選択されると表示される作業者コード入力画面を図４に示す。図４に示すように、キーボート８により手入力する作業者コードと作業者名の入力フィールドが表示され、マウス１０にて選択される、入力フィールドをクリアにして入力待ちとする「クリア」、処理を実行する「ＯＫ」、および該当処理を中断し初期画面へ戻す「キャンセル」のボタンが表示される。
【００３１】
上記作業者コード入力画面において、作業者コードと作業者名が入力され、「ＯＫ」のボタンがマウス１０により選択されると表示される仕分け設定画面を図５に示す。この仕分け設定画面において、仕分け作業が実行される。図５に示すように、カート３１に添付されてきた、カート３１内の集品リストから、バッチナンバーからなるバーコード（物品毎に集品された物品群を特定する群情報の一例）をバーコードリーダ９により読み取ることによって表示されるバッチ表示部４１と、後述する仕分け実行のモードである、検品モード（第１の機能）と仕分けモード（第２の機能）のいずれかを選択するモード設定部４２と、仕分け指示を表示する仕分け表示部４３が表示され、さらにマウス１０にて選択される、欠品の発生を入力する「欠品」、現在のバッチによる作業を中断して未作業状態に戻す「作業中止」、および該当処理を中断し初期画面へ戻す「戻る」のボタンが表示される。なお、仕分け実行のモードは、検品モードがデフォルトされている。
【００３２】
上記バッチ表示部４１には、バーコードリーダ９により読み取られたバッチナンバーと、このバッチナンバーにより検索された、仕分けする店舗数、商品２のアイテム数、および仕分け総量（総仕分け数）（詳細は後述する）とが表示され、また仕分け表示部４３には、商品２に添付されたバーコード（物品を特定する情報の一例）をバーコードリーダ９により読み取ることによって表示されるＪＡＮコードと、このＪＡＮコードにより検索された、商品２のコード、商品２の名称（商品名）、および仕分け数（詳細は後述する）と、各間口４における仕分け量とが表示される。
【００３３】
また上記コントローラ６には、物流を管理する上位コンピュータより、バッチ毎の上記仕分け要求データが予め入力されて記憶され、コントローラ６は、これら仕分け要求データを入力すると、各バッチ毎に、仕分け要求データの各店舗に間口４を割り当て、図６（ａ）に示すように、間口毎（店舗毎に相当する）に仕分ける商品２とその数量からなる仕分けデータを形成して記憶し、さらに図６（ｂ）（ｃ）に示すように、仕分けする間口の数（店舗数に相当する）および各間口毎の商品２の数量を求めて間口データとして記憶し、また各商品２毎の数量を求め、さらに全商品２のアイテム数と仕分け総量を求めて商品データとして記憶する。またコントローラ６には、各商品２のデータ、すなわち商品２に付けられたＪＡＮコードに対応した商品コード、および商品名が予め記憶される。
【００３４】
以下、上記コントローラ６による仕分け動作を、仕分け作業を実行する作業者の動作とともに図７〜図１０のフローチャートにしたがって詳細に説明する。なお、図３の初期画面において「仕分け開始」のボタンが選択され、さらに上記作業者コード入力画面において作業者コードと作業者名が入力され、「ＯＫ」のボタンが選択されて図５の仕分け設定画面が表示されているものとする。
【００３５】
作業者は、カート３１によりこの仕分け棚１において仕分けられる商品２を搬送してくると、まずカート３１に添付された集品リストのバッチナンバーのバーコードをバーコードリーダ９により読み取らせる（ステップ−ａ１）。
【００３６】
コントローラ６は、バーコードリーダ９よりバーコードの読取データ、すなわちバッチナンバーを入力すると（ステップ−ｂ１）、このバッチナンバーに対応する仕分けデータ、間口データ、および商品データを検索し、仕分け設定画面のバッチ表示部４１に表示させる画像データを求める（ステップ−ｂ２）。すなわち、画像データとしてバッチナンバーと、仕分けする店舗（間口）数、商品２のアイテム数、および仕分け総量を求め、ＣＲＴ７へ出力し、仕分け設定画面のバッチ表示部４１へ表示させ（ステップ−ｂ３）、前記求めた仕分け総量を、表示器用コントローラ１２を介して、このトータル数量表示器２２のディジタル表示器２６に表示させる（ステップ−ｂ４）。
【００３７】
次に、コントローラ６は、仕分け実行モードか検品モードかどうかを確認する（ステップ−ｂ５）。
「検品モード」
以下、仕分け実行モードが、検品モードのときについて説明する。
【００３８】
作業者は、仕分け設定画面のバッチ表示部４１にバッチナンバーと、仕分けする店舗（間口）数、商品２のアイテム数、および仕分け総量が表示され、トータル数量表示器２２のディジタル表示器２６に仕分け総量が表示されたことを確認すると（ステップ−ａ２）、カート３１により搬送されてきた商品２の任意の１個を手に取り、この商品２のバーコードをバーコードリーダ９により読み取らせる（ステップ−ａ３）。
【００３９】
コントローラ６は、バーコードリーダ９よりバーコードの読取データ、すなわちＪＡＮコードを入力すると（ステップ−ｂ６）、このＪＡＮコードに対応する商品コード、および商品名を検索し（ステップ−ｂ７）、さらに商品名により商品データを検索してこの商品２の数量、すなわち仕分け数を求め（ステップ−ｂ８）、仕分け設定画面の仕分け表示部４３における商品２のデータ（画像データ）として、ＪＡＮコード、商品コード、商品名、および仕分け数を出力し、仕分け設定画面の仕分け表示部４３へ表示させるとともに、仕分け表示部４３の背景を赤（通常は白）に変更させる（ステップ−ｂ９）。次に、商品名により仕分けデータを検索してこの商品２を仕分けする間口４を求め、求めた間口４のうち１つの間口４を選択し（ステップ−ｂ１０）、仕分け設定画面の仕分け表示部４３において、選択した間口の数量を「１」として表示させ（ステップ−ｂ１１）、さらに表示器用コントローラ１２を介して、この間口４の間口表示器２１のディジタル表示器２４に数字の「１」を表示させ、同時に完了釦スイッチ２５のランプを点灯させる（ステップ−ｂ１２）。
【００４０】
作業者は、手にしていた商品２を、間口表示器２１のディジタル表示器２４に「１」が表示され、ランプが点灯した間口４の集品容器３へ投入し（ステップ−ａ４）、間口表示器２１の完了釦スイッチ２５を押し操作する（ステップ−ａ５）。
【００４１】
コントローラ６は、表示器用コントローラ１２を介してこの完了釦スイッチ２５の操作信号を入力すると（ステップ−ｂ１３）、間口表示器２１の表示を消灯させ（ステップ−ｂ１４）、仕分け表示部４３において表示した間口の数量を消去するとともに、仕分け表示部４３の背景を白に戻させ（ステップ−ｂ１５）、データの更新を実行する。すなわち、仕分けデータにおいて、商品２を投入した間口４の商品２の数量を「１」減算し、また間口データにおいて、商品２を投入した間口４の数量を「１」減算し、さらに商品データにおいて、仕分け総量を「１」減算する（ステップ−ｂ１６）。
【００４２】
続いて、間口データにおいて、商品２を投入した間口４の数量が「０」となったかどうかを確認し（ステップ−ｂ１７）、確認すると、表示器用コントローラ１２を介して、この間口４の間口表示器２１のディジタル表示器２４に「Ｅｎｄ」を表示させ、この間口４における仕分けが終了したことを報知する（ステップ−ｂ１８）。
【００４３】
続いて商品データにおいて、仕分け総量が「０」となったかどうかを確認し（ステップ−ｂ１９）、確認すると、表示器用コントローラ１２を介して、トータル数量表示器２２のディジタル表示器２６に「０」を表示するとともに完了ランプ２７を点灯させ（ステップ−ｂ２０）、終了する。数量が「０」ではないとき、更新した仕分け総量を、表示器用コントローラ１２を介して、このトータル数量表示器２２のディジタル表示器２６に表示させ（ステップ−ｂ２１）、ステップ−ｂ５，ｂ６へ戻り、次のＪＡＮコードの入力を待つ。
【００４４】
作業者は、カート３１に商品２が残っているかを確認し（ステップ−ａ６）、確認すると、次の商品２を手に取り、上記ステップ−ａ３へ戻り、上記ステップ−ａ３〜ステップ−ａ５を繰り返す。また、コントローラ６も同様に、上記ステップ−ｂ６〜ステップ−ｂ２１を繰り返す。
【００４５】
また作業者は、カート３１に商品２が残っていないとき、トータル数量表示器２２のディジタル表示器２６に「０」が表示され、完了ランプ２７が点灯していることを確認し（ステップ−ａ７）、確認すると、全仕分けが正常に終了したと判断して、後作業を実行する。すなわち、各間口４から集品容器３を取り出して、中に集品リストとともに添付されてきた前記各間口４のデータリストを投入して出荷エリアへ搬送する（ステップ−ａ８）。
【００４６】
また作業者は、カート３１に商品２が残ってなく、トータル数量表示器２２のディジタル表示器２６に「０」が表示されず、完了ランプ２７が点灯しないとき、「欠品」ボタンをマウス１０により選択する（ステップ−ａ９）。
【００４７】
コントローラ６は、上記ステップ−ｂ６におけるバーコード入力ではなく、この「欠品」信号を入力すると（ステップ−ｂ２２）、仕分けデータにおいて、数量が「０」ではない、間口４および商品２の商品名および数量を求めて欠品データを形成し（ステップ−ｂ２３）、この欠品データを上位コンピュータへ出力し（ステップ−ｂ２４）、その後、上記ステップ−ｂ２０を実行し、すなわちトータル数量表示器２２の完了ランプ２７を点灯して全仕分け終了を報知する。
【００４８】
作業者は、この完了ランプ２７の点灯を確認すると、上記後作業を実行する。そして、次のカート３１が搬送されてくると、上記ステップが繰り返し行われる。
「仕分けモード」
上記ステップ−ｂ５において、仕分け実行モードが、検品モードではないとき、すなわち上記仕分け設定画面のモード設定部４２において、仕分けモードが選択されているとき、仕分けモードを実行する。
【００４９】
作業者は、カート３１により搬送されてきた商品２の任意の１個を手に取り、この商品２のバーコードをバーコードリーダ９により読み取らせる（ステップ−ｃ１）。
【００５０】
コントローラ６は、バーコードリーダ９よりバーコードの読取データ、すなわちＪＡＮコードを入力すると（ステップ−ｄ１）、このＪＡＮコードに対応する商品コード、および商品名を検索し（ステップ−ｄ２）、さらに商品名により商品データを検索してこの商品２の数量、すなわち仕分け数を求め（ステップ−ｄ３）、仕分け設定画面の仕分け表示部４３における商品２のデータ（画像データ）として、ＪＡＮコード、商品コード、商品名、および仕分け数を出力し、仕分け設定画面の仕分け表示部４３へ表示させる（ステップ−ｄ４）。次に、商品名により仕分けデータを検索してこの商品２を仕分けする全ての間口４と仕分け量を求め（ステップ−ｄ５）、仕分け設定画面の仕分け表示部４３において、求めた全ての間口に、求めた「仕分け量」を表示させ（ステップ−ｄ６）、さらに表示器用コントローラ１２を介して、求めた全ての間口４の間口表示器２１のディジタル表示器２４に「仕分け量」を表示させ、同時に完了釦スイッチ２５のランプを点灯させる（ステップ−ｄ７）。
【００５１】
作業者は、仕分け設定画面の仕分け表示部４３における仕分け数を確認して、手にしていた商品２を含めてこの仕分け数だけ商品２をカート３１より取り出し（ステップ−ｃ２）、続いて完了釦スイッチ２５のランプが点灯した間口４の集品容器３に対して、間口表示器２１のディジタル表示器２４に表示された「仕分け量」の商品２を投入し（ステップ−ｃ３）、間口表示器２１の完了釦スイッチ２５を押し操作する（ステップ−ｃ４）。続いて他の完了釦スイッチ２５のランプが点灯している間口４があるかを確認し（ステップ−ｃ５）、点灯しているランプがあると、ランプが点灯している間口表示器２１の「仕分け量」だけ商品２が残っているかを確認し（ステップ−ｃ６）、確認すると、ステップ−ｃ３へ戻る。
【００５２】
コントローラ６は、表示器用コントローラ１２を介して完了釦スイッチ２５の操作信号を入力すると（ステップ−ｄ８）、操作された間口表示器２１の表示を消灯させ（ステップ−ｄ９）、仕分け表示部４３において表示した間口の数量を消去させ（ステップ−ｄ１０）、データの更新を実行する。すなわち、仕分けデータにおいて、商品２を投入した間口４の、投入した商品２の数量を「０」とし、また間口データにおいて、商品２を投入した間口４の数量を「仕分け量」減算し、さらに商品データにおいて、仕分け総量を「仕分け量」減算する（ステップ−ｄ１１）。
【００５３】
続いて、間口データにおいて、商品２を投入した間口４の数量が「０」となったかどうかを確認し（ステップ−ｄ１２）、確認すると、表示器用コントローラ１２を介して、この間口４の間口表示器２１のディジタル表示器２４に「Ｅｎｄ」を表示させ、この間口４における仕分けが終了したことを報知する（ステップ−ｄ１３）。
【００５４】
続いて前記仕分けを行う全ての間口４の間口表示器２１の完了釦スイッチ２５の操作信号が入力したかを確認し（ステップ−ｄ１４）、確認できないとき、すなわちバーコードリーダ９でバーコードを読み取った商品２の仕分けがまだ終了していないとき、ステップ−ｄ８へ戻り、次の操作信号を待つ。
【００５５】
仕分けを行う全ての間口４の完了釦スイッチ２５の操作信号の入力を確認すると、商品データにおいて、仕分け総量が「０」となったかどうかを確認し（ステップ−ｄ１５）、確認すると、表示器用コントローラ１２を介して、トータル数量表示器２２のディジタル表示器２６に「０」を表示するとともに完了ランプ２７を点灯させ（ステップ−ｄ１６）、終了する。数量が「０」ではないとき、更新した仕分け総量を、表示器用コントローラ１２を介して、このトータル数量表示器２２のディジタル表示器２６に表示させ（ステップ−ｄ１７）、ステップ−ｂ５，ｄ１へ戻り、次の商品２のバーコードデータの入力を待つ。
【００５６】
また作業者は、ステップ−ｃ６において、ランプが点灯している間口表示器２１の「仕分け量」が不足していると、この間口４の集品容器３には商品２を投入せずに、「欠品」ボタンをマウス１０により選択する（ステップ−ｃ７）。
【００５７】
コントローラ６は、ステップ−ｄ８の完了釦スイッチ２５の操作信号に代えて、この「欠品」信号を入力すると（ステップ−ｄ１８）、仕分けデータにおいて、仕分け中の商品２の数量が「０」ではない、間口４および商品２の商品名および数量を求めて欠品データを形成し（ステップ−ｄ１９）、この欠品データを上位コンピュータへ出力し（ステップ−ｄ２０）、その後、完了釦スイッチ２５の操作信号が入力されていない残りの間口表示器２１を消灯し（ステップ−ｄ２１）、（ステップ−ｄ１５を実行し、残りの仕分け総量を確認する。
【００５８】
次に作業者は、ステップ−ｃ５において他の完了釦スイッチ２５のランプが全て消灯されると、または「欠品」をマウス１０により選択して他の完了釦スイッチ２５のランプが全て消灯されると、カート３１に商品２が残っているかを確認し（ステップ−ｃ７）、確認すると、次の商品２を手に取り、上記ステップ−ｃ１へ戻り、上記ステップ−ｃ２〜ステップ−ｃ７を繰り返す。また、コントローラ６も同様に、上記ステップ−ｄ１〜ステップ−ｄ２１を繰り返す。
【００５９】
また作業者は、カート３１に商品２が残っていないとき、トータル数量表示器２２のディジタル表示器２６に「０」が表示され、完了ランプ２７が点灯していることを確認し（ステップ−ｃ９）、確認すると、全仕分けが正常に終了したと判断して、後作業を実行する。すなわち、各間口４から集品容器３を取り出して、中に集品リストとともに添付されてきた各間口４のデータリスト（バッチナンバーと店舗名と仕分けた商品２の商品名および数量からなるリスト）を投入して出荷エリアへ搬送する（ステップ−ｃ１０）。
【００６０】
また作業者は、カート３１に商品２が残ってなく、トータル数量表示器２２のディジタル表示器２６に「０」が表示されず、完了ランプ２７が点灯しないとき、「欠品」ボタンをマウス１０により選択する（ステップ−ｃ１１）。
【００６１】
コントローラ６は、上記ステップ−ｄ１におけるバーコード入力ではなく、この「欠品」信号を入力すると（ステップ−ｄ２２）、仕分けデータにおいて、数量が「０」ではない、間口４および商品２の商品名および数量を求めて欠品データを形成し（ステップ−ｄ２３）、この欠品データを上位コンピュータへ出力し（ステップ−ｄ２４）、その後、上記ステップ−ｄ１６を実行し、すなわちトータル数量表示器２２の完了ランプ２７を点灯して全仕分け終了を報知し、終了する。
【００６２】
作業者は、この完了ランプ２７の点灯を確認すると、上記後作業を実行する。
「検品モード」と「仕分けモード」の切換
上記仕分け設定画面のモード設定部４２において、検品モードと仕分けモードが切り換えられると、上記ステップ−ｂ５において上記検品モードと仕分けモードが切り換えられて実行される。
【００６３】
このように、コントローラ６は、仕分け要求データに応じて、仕分けデータを形成する機能と、バーコードリーダ９により商品２のバーコードが読み取られる毎に、このバーコードデータと前記仕分けデータに基づいて、商品２を仕分けする間口４を求め、求めた間口４のうち１つの間口４に設けられた間口表示器２１に、商品２を仕分けする指示を出力する第１の機能である検品モードと、バーコードリーダ９により商品２のバーコードが読み取られる毎に、このバーコードデータと前記仕分けデータに基づいて、商品２を仕分けする間口４を求め、求めた間口４毎にそれぞれ、仕分けする商品２の仕分け量を求め、求めた間口４の間口表示器２１にそれぞれ、求めた商品２の仕分け量を出力する第２の機能である仕分けモードを有しており、さらに検品モードと仕分けモードを仕分け途中でも切り換え可能な機能を有している。
【００６４】
上記構成により、作業者は、仕分け画面のモード設定部４３において、仕分け実行モードを検品モードまたは仕分けモードのいずれかを選択して、検品モードのとき、カート３１より１個の商品２を手に取り、バーコードリーダ９に商品２のバーコードを読み取らせ、この読取に応答して間口表示器２１の完了釦スイッチ２５のランプが点灯した間口４の集品容器３へ、手に取っている商品２を投入する動作を繰り返すことにより商品２の仕分けを実行し、また仕分けモードのとき、カート３１より１つの商品２を手に取り、バーコードリーダ９に商品２のバーコードを読み取らせ、この読取に応答して表示された仕分け数の商品２（手に取っている商品２と同じ商品）をカート３１より取り出し、続いて間口表示器２１の完了釦スイッチ２５のランプが点灯した各間口４の集品容器３へ、間口表示器２１に表示された仕分け量の商品２を投入する動作を繰り返すことにより商品２の仕分けを実行する。
【００６５】
以上のように本実施の形態によれば、検品モードのとき、手に取った商品２のバーコードがバーコードリーダ９により読み取られると、この商品２を仕分けする１つの間口表示器２１に、商品２の仕分け指示として完了釦スイッチ２５のランプが点灯され、作業者はこの間口４に物品を仕分けすることにより、間口４の集品容器３に仕分けする商品２の個数に間違いがなくなり、検品の必要をなくすことができ、また仕分けする商品２を確認する必要を無くすことができる。また同一の商品２を続けて仕分けする必要がなくなり、手近な商品２をランダムにカート３１より手に取ってバーコードリーダ９にバーコードを読み取らせて仕分けができ、効率を改善できる。
【００６６】
また本実施の形態によれば、検品モードと仕分けモードを有し、これら検品モードと仕分けモードが切り換え自在とされることにより、作業者は仕分け実行モードを自由に選択でき、作業効率を改善することができる。作業者は、通常は検品モードにより商品２の仕分けを行い、同一商品２を多量に仕分けするとき、仕分けモードにより商品２の仕分けを行うことになる。
【００６７】
また本実施の形態によれば、検品モードと仕分けモードの実行毎に、仕分けデータの更新が行われることによって、途中で検品モードと仕分けモードの切り換えが可能となり、仕分け作業の柔軟性を向上させることができる。
【００６８】
また本実施の形態によれば、検品モードのとき、バーコードリーダ９により商品２のバーコードが読み取られると、ＣＲＴ７の表示画面の少なくとも一部である仕分け表示部４３の色（背景）が、白から赤へ変化されることにより、次の商品２のバーコードの読取禁止が報知され、バーコードを読み取るタイミングを調整することができ、複数の作業者により作業を行うとき有効である。すなわち、現作業者が商品２の仕分けを終了する前に、次の作業者が次に仕分けする商品２のバーコードを読み取らせると、この商品２を仕分けする間口４の間口表示器２１に仕分けする表示が行われ、仕分けする間口４がわからなくなることがある。
【００６９】
また本実施の形態によれば、トータル数量表示器２２に商品２の残り仕分け総量が表示されることにより、作業者は仕分けする商品２の残り仕分け総量を常に確認できる。
【００７０】
また本実施の形態によれば、作業者は、物品の仕分けが終了しているにもかかわらず、トータル数量表示器２２の残り数量が「０」とならないときなど欠品発生時に、仕分け表示画面の「欠品」ボタンをマウス１０により選択することにより、コントローラ６によって、仕分けデータに基づいて仕分けが終了していない商品２を欠品と認識し、欠品データが形成され、この欠品情報により後工程で欠品した物品が補充されることから、作業者はどの間口４にどの商品２がどれだけの数量欠品しているかを見出して入力する必要がなくなり、作業を簡易化でき、初心者でも簡単に仕分け作業に従事させることができる。
【００７１】
また本実施の形態によれば、仕分け要求データに応じて、予め商品２毎に集品され、カート３１毎、すなわち集品された商品群毎に設けられたバッチナンバーのバーコード（集品リスト）がバーコードリーダ９により読み取られることにより仕分け要求データが求められ、集品された商品群が各間口４毎に仕分けが開始される。
【００７２】
なお、本実施の形態では、集品容器３の大きさを同じ大きさとしているが、大小の集品容器３を用意し、図１１に示すように、下の２段の棚板５を使用して最大６個の大の間口４を設定して大の集品容器３Ａを配置するようにすることもできる。このとき、中央の段の間口表示器２１を、下の段と中央の段の間口４に対応させることにより仕分けを実行する。また下の段に集品容器を配置せずに中央の段のみに大の集品容器３Ａを配置するようにしてもよく、このとき、中央の段の間口表示器２１のうち３個の間口表示器２１（たとえば、図１１のナンバー１，３，５の間口表示器２１）を中央の段の間口４（大の集品容器３Ａ）に対応させることにより仕分けを実行する。
【００７３】
また本実施の形態では、仕分けモードでは、バーコードリーダ９に商品２のバーコードを読み取らせると、この商品２の一群を仕分ける間口４が求められ、求められた間口４の間口表示器２１に一斉に表示が行われるが、求めた間口４に順番に表示を行い、バーコードが読み取られた商品２の一群を仕分けるようにすることができる（なお、商品２のバーコードを読み取りは１回である）。すなわち、求めた１つの間口４の間口表示器２１に表示を行わせ、商品２の一群の中から表示された仕分け量の商品２が集品容器３へ投入され完了釦スイッチ２５が操作されると、前記求めた間口４の中から次の間口４の間口表示器２１に表示を行わせることを繰り返すことで、商品２の一群を順番に仕分けするようにすることもできる。
【００７４】
また本実施の形態では、仕分け要求データは、注文した店舗と、この店舗が要求する（注文した）商品２およびその数量から形成されているが、商品２を仕分ける間口を特定する情報と、この間口が要求する物品およびその数量から形成してもよい。このとき、仕分け要求データによって仕分け作業を実行する間口４が予め設定され、仕分けデータは、仕分け要求データそのままで形成される。
【００７５】
また本実施の形態では、商品２の仕分け先を店舗としているが、店舗に限ることはなく、個人あるいはグループなどとしてもよい。
また本実施の形態では、ＣＲＴ７の表示画面の仕分け表示部４３の背景を変化させているが、背景に限ることはなく、一部の図柄や文字や数字の色を代えたり、色とともに太さや傾きを変更したりすることもできる。
【００７６】
また本実施の形態では、一人あるいは二人の作業者による仕分け作業としているが、一人だけでの仕分け作業と限定してもよく、またさらに人数を増やして仕分け作業を行ってもよい。
【００７７】
また本実施の形態では、集品リストに予め添付された各間口４用のデータリストを仕分けが終了した集品容器３へ投入しているが、仕分け棚１にプリンタ装置を配置し、仕分け終了時に各間口用のデータリストを発行するようにすることもできる。
【００７８】
また本実施の形態では、仕分け棚１として、集品容器３が移動しない一般棚を使用しているが、集品容器３が移動する流動棚を使用することも可能である。
また本実施の形態では、仕分け棚１を上下の間口４が直線状に配置された１台の棚により形成しているが、必ずしも１台の棚である必要はなく、複数台の棚により形成してもよい。また３台の棚を並べるときは、平面にコ字状に配置し、コ字状に囲まれる面の側に間口表示器２１を配置すると、作業効率がよい。
【００７９】
また本実施の形態では、集品容器３としてダンボールを使用しているが、コンテナやバケットやケースやトレー状のものなどを使用するようにしてもよい。また蓋付きのもの（封函可能なもの）であってもよい。
【００８０】
また本実施の形態では、間口表示器２１のスイッチとして釦スイッチを使用しているが、このスイッチ機能をひもを引っ張ることによりオンするスイッチやフットスイッチに代えることもできる。
【００８１】
また本実施の形態では、カート３１により商品群を搬送してきているが、カート３１に限ることはなく、バッチ毎に商品群を搬送してくる搬送手段であればよい。
【００８２】
また本実施の形態では、商品２に添付される「商品２（物品）を特定する情報」と、集品リストに添付される「物品毎に集品された物品群を特定する群情報」を、バーコードにより認識しているが、ＩＣカードやＩＣタグのデータで認識するようにしてもよい。このとき、読取手段と群入力手段として、ＩＣリーダを使用する。
【００８３】
【発明の効果】
以上述べたように本発明によれば、１個の物品毎にその物品を特定する情報を読み取らせて仕分けすることにより、間口に仕分けする物品の個数に間違いがなくなり、検品の必要をなくすことができ、また同一の物品を続けて仕分けする必要がなくなり、手近な物品をランダムに手に取って読取手段に読み取らせて仕分けができ、仕分け効率を改善することができる。
【図面の簡単な説明】
【図１】本発明の実施の形態における仕分け設備の概略構成図である。
【図２】同仕分け設備の制御構成図である。
【図３】同仕分け設備のＣＲＴに表示される初期画面図である。
【図４】同仕分け設備のＣＲＴに表示される作業者入力画面図である。
【図５】同仕分け設備のＣＲＴに表示される仕分け画面図である。
【図６】同仕分け設備のデータの説明図である。
【図７】同仕分け設備のコントローラの動作を説明するフローチャートである。
【図８】同仕分け設備のコントローラの動作を説明するフローチャートである。
【図９】同仕分け設備のコントローラの動作を説明するフローチャートである。
【図１０】同仕分け設備のコントローラの動作を説明するフローチャートである。
【図１１】同仕分け設備の仕分け棚の間口の配置を示す説明図である。
【符号の説明】
１    仕分け棚
２    商品
３    集品容器
４    間口
６    コントローラ
７    ＣＲＴ
８    キーボード
９    バーコードリーダ
１０  マウス
２１  間口表示器
２２  トータル数量表示器
２４  間口表示器のディジタル表示器
２５  間口表示器のランプ付き完了釦スイッチ
２６  トータル数量表示器のディジタル表示器
２７  トータル数量表示器の完了ランプ
３１  カート
４１  バッチ処理部
４２  モード設定部
４３  仕分け表示部
【図１】
2004307112.tif 000003
【図２】
2004307112.tif 000004
【図３】
2004307112.tif 000005
【図４】
2004307112.tif 000006
【図５】
2004307112.tif 000007
【図６】
2004307112.tif 000008
【図７】
2004307112.tif 000009
【図８】
2004307112.tif 000010
【図９】
2004307112.tif 000011
【図１０】
2004307112.tif 000012
【図１１】
2004307112.tif 000013